(57)【要約】【課題】プラスビットあるいはマイナスビットの一般的なドライバーにより、頭部形状が六角であったり六角穴が形成されたネジまたはボルト類のネジ締めにも素早く対応できるようにするネジ締め補助具を提供する。【解決手段】ドライバーのプラスビットまたはマイナスビットの先端形状に合致する係合溝を形成した頭部と、ネジ締めの対象となるネジまたはボルト類の頭部に係合する締め付け作用部とを一体に形成してネジ締め補助具となるようにする。【選択図】図１
2008207285.tif 000002
【特許請求の範囲】
【請求項１】
ドライバーのプラスビットまたはマイナスビットの先端形状に合致する係合溝を形成した頭部と、ネジ締めの対象となるネジまたはボルト類の頭部に係合する締め付け作用部とを一体に形成してなることを特徴とするネジ締め補助具。
【請求項２】
前記締め付け作用部に六角ビットまたは六角穴を形成してなることを特徴とする請求項１記載のネジ締め補助具。
【請求項３】
前記頭部にドライバーのプラスビットまたはマイナスビットの先端をガイドするガイド部を一体に設けたことを特徴とする請求項１または請求項２に記載のネジ締め補助具。
【発明の詳細な説明】
【技術分野】
【０００１】
本発明は、ドライバーのビットの先端形状とネジまたはボルト類の頭部の係合溝の形状が異なる場合においても、このネジまたはボルト類の締め付けが可能となるようにしたネジ締め補助具に関する。
【背景技術】
【０００２】
ネジまたはボルト類の頭部にはドライバーのビットの先端形状に合致する係合溝が形成されており、この係合溝にビットの先端を係合してネジまたはボルト類のネジ締めが行われる。ドライバービットの先端の形状はネジまたはボルト類の係合溝の形状に一致するようにしたプラスビットおよびマイナスビットが代表例となっている。一方、頭部に六角穴が形成されたネジまたはボルト類を締め付ける場合は、通常、Ｌ字状の六角レンチが用いられ、また、頭部が六角形の六角ボルトは、この頭部に装着するようにしたボックスレンチにより締め付けされる。
【０００３】
このように、ネジまたはボルト類の頭部の形態は種々様々であり、これを締め付けるための工具も種々様々となることから、ネジ締め作業の合理性を高める目的で頭部に、プラス溝、マイナス溝、六角穴を同時に形成して各種の工具に対応するようにしたネジが提案されている（特許文献１参照）。また、ドライバーの先端にソケットを着脱自在に保持するようにしてボルトやナットのネジ締めが可能となるようにしたものがある（特許文献２参照）。
【特許文献１】実開平５−９２５１８号公報
【特許文献２】特開２０００−９４３５１号公報
【発明の開示】
【発明が解決しようとする課題】
【０００４】
上記特許文献１に開示された技術は、複数の溝（穴）形状をネジの頭部に同時に形成するもので、複雑な成形工程が必要であるとともに、頭部の質量が低下することから剛性が低下する問題がある。また、上記特許文献２に開示された技術は、異なるドライバービットを多数揃えておくことにより、ソケット用アダプターの数を少なくすることを目的とするとともに、ソケット用アダプターは、ドライバービットに合致した差し込み穴が形成された当該ドライバービットの専用部品であって、様々なドライバービットに対応できるものではない。
【０００５】
ところで、現在、製作現場、作業現場で使用されるネジまたはボルト類の頭部はプラス溝を形成したものが大勢を占めるため、作業者はプラスビットのドライバーを常用のものとして携行している場合が多く、異種の溝（穴）形状のネジまたはボルト類のネジ締め作業が必要になると、これに対応するため急遽、工具を調達するようにしなければならない場合があるなどの問題があった。
【０００６】
本発明はかかる事情に鑑みなされたもので、プラスビットあるいはマイナスビットの一般的なドライバーにより、頭部形状が六角であったり六角穴が形成されたネジまたはボルト類のネジ締めにも素早く対応できるようにするネジ締め補助具を提供することを目的とするものである。
【課題を解決するための手段】
【０００７】
そこで本発明は、以下に述べる各手段により上記課題を解決するようにした。即ち、請求項１記載の発明では、ドライバーのプラスビットまたはマイナスビットの先端形状に合致する係合溝を形成した頭部と、ネジ締めの対象となるネジまたはボルト類の頭部に係合する締め付け作用部とを一体に形成したネジ締め補助具となるようにする。
【０００８】
請求項２記載の発明では、上記請求項１記載のネジ締め補助具において、前記締め付け作用部に六角ビットまたは六角穴を形成する。
【０００９】
請求項３記載の発明では、上記請求項１または請求項２記載のネジ締め補助具において、前記頭部にドライバーのプラスビットまたはマイナスビットの先端をガイドするガイド部を一体に設ける。
【発明の効果】
【００１０】
請求項１記載の発明によれば、ドライバーのプラスビットまたはマイナスビットの先端形状に合致する係合溝を形成した頭部と、ネジまたはボルト類の頭部に係合する締め付け作用部とを一体に形成したので、ドライバーのビットとネジまたはボルト類の頭部との係合を簡易に行うことができ、ビット形状とは異なる頭部形状のネジまたはボルト類のネジ締めが可能となる。また、頭部と締め付け作用部のみであるため、きわめて小さくすることができて携行し易く、ネジ締め作業の内容に応じて素早く対応することが可能となる。
【００１１】
請求項２記載の発明によれば、上記請求項１記載の発明の効果に加え、六角ビットまたは六角穴の締め付け作用部となるようにしたことから、プラスビットまたはマイナスビットのドライバーにより六角穴付ネジおよび六角穴付ボルトのネジ締めが可能となる。
【００１２】
請求項３記載の発明によれば、上記請求項１または請求項２記載の発明の効果に加え、頭部にガイド部を一体に設けたことから、ドライバービット先端を締め付け補助具に係合させる操作を容易にすることができる。
【発明を実施するための最良の形態】
【００１３】
つぎに、本発明の実施の形態を図にもとづいて詳細に説明する。図１における本発明のネジ締め補助具１、２は、頭部１０ａ、２０ａに六角穴１０ｂ、２０ｂが形成された六角穴付ネジ１０または六角穴付ボルト２０のネジ締めが可能となるようにしたものである。この場合、ネジ締め補助具１は、プラス溝１ｃが形成された頭部１ａと、前記六角穴付ネジ１０または六角穴付ボルト２０の六角穴１０ｂ、２０ｂに係合する六角ビットが形成された締め付け作用部１ｂとが金属素材により一体に形成される。一方、ネジ締め補助具２は、マイナス溝２ｃが形成された頭部２ａと、前記六角穴付ネジ１０または六角穴付ボルト２０の六角穴１０ｂ、２０ｂに係合する六角ビットが形成された締め付け作用部２ｂとが金属素材により一体に形成される。
【００１４】
このように形成されたネジ締め補助具１はプラスビットのドライバーに対応し、ネジ締め補助具２はマイナスビットのドライバーに対応することになる。そして、プラスビットのドライバーにより六角穴付ネジ１０または六角穴付ボルト２０をネジ締めする場合は、図３に示すようにネジ締め補助具１の締め付け作用部１ｂの六角ビットを六角穴付ネジ１０または六角穴付ボルト２０の六角穴１０ｂ、２０ｂに差し込んで係合する。
【００１５】
そして、ドライバーＤのプラスビットｄ１の先端ｄ２をネジ締め補助具１のプラス溝１ｃに差し込んで締め付けることにより、六角穴付ネジ１０または六角穴付ボルト２０のネジ締めが可能となる。一方、ドライバーＤがマイナスビットである場合は、ネジ締め補助具２を用いることにより六角穴付ネジ１０または六角穴付ボルト２０のネジ締めが可能となる。
【００１６】
なお、このように形成された本発明のネジ締め補助具１、２を予め着磁しておくことにより、六角穴付ネジ１０、六角穴付ボルト２０またはドライバーＤのプラス（マイナス）ビットｄ１の先端ｄ２に磁気吸着するので能率よくネジ締め作業を進めることができる。また、以上の説明では、六角穴付ネジ１０、六角穴付ボルト２０のネジ締めを可能とするため、締め付け作用部１ｂ、２ｂが六角ビットであるものを実施例として説明したが、この形状はネジまたはボルトの頭部の穴形状に一致するように形成されるもので、六角ビットに限定されるものではない。
【００１７】
つぎに、図２における本発明の、ネジ締め補助具３，４は、頭部３０ａ、４０ａが平面六角形の六角ネジ３０または六角ボルト４０のネジ締めが可能となるようにしたものである。この場合、ネジ締め補助具３は、プラス溝３ｃが形成された頭部３ａと、前記六角ネジ３０または六角ボルト４０の頭部３０ａ、４０ａに係合する六角穴３ｄが形成された締め付け作用部３ｂとが金属素材により一体に形成される。一方、ネジ締め補助具４は、マイナス溝４ｃが形成された頭部４ａと、前記六角ネジ３０または六角ボルト４０の頭部３０ａ、４０ａに係合する六角穴４ｄが形成された締め付け作用部４ｂとが金属素材により一体に形成されている。
【００１８】
このように形成されたネジ締め補助具３はプラスビットのドライバーに対応し、ネジ締め補助具４はマイナスビットのドライバーに対応することになる。プラスビットのドライバーＤにより六角ネジ３０または六角ボルト４０をネジ締めする場合は、ネジ締め補助具３の六角穴３ｄを六角ネジ３０または六角ボルト４０の頭部３０ａ、４０ａに係合させる。
【００１９】
そして、ドライバーＤのプラスビットｄ１の先端ｄ２をネジ締め補助具３のプラス溝３ｃに差し込んで締め付けることにより、六角ネジ３０または六角ボルト４０のネジ締めが可能となる。一方、ドライバーＤがマイナスビットである場合は、ネジ締め補助具４を用いることにより六角ネジ３０または六角ボルト４０のネジ締めが可能となる。
【００２０】
なお、ネジ締め補助具３、４の場合においても予め着磁処理しておくことにより、能率よくネジ締め作業を進めることができる。また、以上の説明では、六角ネジ３０、六角ボルト４０のネジ締めを可能とするため、締め付け作用部３ｂ、４ｂに六角穴が形成されたものを実施例として説明したが、締め付け作用部３ｂ、４ｂの穴の形状はネジまたはボルトの頭部の形状に一致するように形成されるもので、六角穴に限定されるものではない。
【００２１】
図４は、頭部にマイナス溝の形成されたネジまたはボルト類をネジ締めするためのネジ締め補助具５の例を示すもので、プラス溝５ｃが形成された頭部５ａと、ネジまたはボルト類の頭部のマイナス溝に係合するマイナスビットの締め付け作用部５ｂとが金属素材により一体に形成されたものであり、プラスビットのドライバーでマイナス溝のネジまたはボルト類のネジ締めが可能となる。
【００２２】
また、図５は、頭部にプラス溝の形成されたネジまたはボルト類をネジ締めするためのネジ締め補助具６の例を示すもので、マイナス溝６ｃが形成された頭部６ａと、ネジまたはボルト類の頭部のプラス溝に係合するプラスビットの締め付け作用部６ｂとが金属素材により一体に形成されたものであり、マイナスビットのドライバーでプラス溝のネジまたはボルト類のネジ締めが可能となる。
【００２３】
図６および図７は、本発明の発展的構成の一例を示すもので、図１のネジ締め補助具１の頭部１ａおよび図２のネジ締め補助具３の頭部３ａに筒状体の下端を固定してガイド部７となるようにしたものである。これにより、ドライバーのビットの先端部分がガイドされるので、ネジ締め補助具へ係合させる操作を容易にすることができる。
【００２４】
以上説明したように本発明のネジ締め補助具は、頭部と締め付け作用部が一体に形成されたコンパクトな形態であるため、大きな保管スペースを必要とすることなく作業現場、工事現場へ携行することができる。そして、六角レンチやボックスレンチなどの特殊な工具を必要とすることなく、常用しているプラスビットまたはマイナスビットのドライバーで異なる種類のネジまたはボルト類のネジ締めが可能となり、作業効率を向上するなど本発明特有の効果を奏するものである。
【図面の簡単な説明】
【００２５】
【図１】本発明のネジ締め補助具および実施の態様を示す図である。
【図２】本発明のネジ締め補助具および実施の態様を示す図である。
【図３】本発明のネジ締め補助具の使用態様を示す図である。
【図４】本発明のネジ締め補助具の他の例を示す図である。
【図５】本発明のネジ締め補助具の他の例を示す図である。
【図６】本発明のネジ締め補助具の発展的構成を示す図である。
【図７】本発明のネジ締め補助具の発展的構成を示す図である。
【符号の説明】
【００２６】
１・・・・・・・ネジ締め補助具
１ａ・・・・・・頭部
１ｂ・・・・・・締め付け作用部
１ｃ・・・・・・プラス溝
２・・・・・・・ネジ締め補助具
２ａ・・・・・・頭部
２ｂ・・・・・・締め付け作用部
２ｃ・・・・・・マイナス溝
３・・・・・・・ネジ締め補助具
３ａ・・・・・・頭部
３ｂ・・・・・・締め付け作用部
３ｃ・・・・・・プラス溝
３ｄ・・・・・・六角穴
４・・・・・・・ネジ締め補助具
４ａ・・・・・・頭部
４ｂ・・・・・・締め付け作用部
４ｃ・・・・・・マイナス溝
４ｄ・・・・・・六角穴
５・・・・・・・ネジ締め補助具
５ａ・・・・・・頭部
５ｂ・・・・・・締め付け作用部
５ｃ・・・・・・プラス溝
６・・・・・・・ネジ締め補助具
６ａ・・・・・・頭部
６ｂ・・・・・・締め付け作用部
６ｃ・・・・・・マイナス溝
７・・・・・・・ガイド部
【図１】
2008207285.tif 000003
【図２】
2008207285.tif 000004
【図３】
2008207285.tif 000005
【図４】
2008207285.tif 000006
【図５】
2008207285.tif 000007
【図６】
2008207285.tif 000008
【図７】
2008207285.tif 000009